【手続補正書】
【提出日】平成28年4月27日(2016.4.27)
【手続補正１】
【補正対象書類名】特許請求の範囲
【補正対象項目名】全文
【補正方法】変更
【補正の内容】
【特許請求の範囲】
【請求項１】
温度測定システムであって、
第１の導体に動作可能に接続されたサーミスタ、および第２の導体に動作可能に接続された抵抗体を備える温度検知プローブと、
前記温度検知プローブに動作可能に接続されたコンピューティングデバイスとを備え、前記コンピューティングデバイスは、
信号の第１のインスタンスを前記第１の導体に送信し、
前記サーミスタから出力される前記信号の前記第１のインスタンスを含む温度信号を前記サーミスタから受信し、
前記信号の第２のインスタンスを前記第２の導体に送信し、
前記抵抗体から出力される前記信号の前記第２のインスタンスを含む基準信号を前記抵抗体から受信し、
前記温度信号および前記基準信号を処理して、前記温度信号と前記基準信号の関係を決定し、
前記関係に基づいて温度を算出する、
ように構成された、温度測定システム。
【請求項２】
前記温度検知プローブがスイッチをさらに含み、前記スイッチが、
（ａ）前記第１の導体と前記サーミスタを切断し、
（ｂ）前記スイッチが起動すると前記第１の導体と前記抵抗体を動作可能に接続するように構成されており、
前記コンピューティングデバイスが、
前記信号の第３のインスタンスを前記第１の導体に送信し、
前記抵抗体から出力される前記信号の前記第３のインスタンスを含む較正信号を前記抵抗体から受信し、
前記較正信号と前記基準信号との間の不一致を特定するために前記較正信号を前記基準信号で処理し、
前記不一致に基づいて１つまたは複数の後続の温度算出値を較正するようにさらに構成されている、請求項１に記載のシステム。
【請求項３】
前記スイッチが、
（ｃ）前記スイッチが起動すると前記サーミスタをグラウンド接続するようにさらに構成されている、請求項２に記載のシステム。
【請求項４】
前記スイッチが、使用者によって手動で起動されるように構成されている、請求項２に記載のシステム。
【請求項５】
前記コンピューティングデバイスが、実質的に使用者の介入なしで前記スイッチを起動するようにさらに構成されている、請求項２に記載のシステム。
【請求項６】
前記コンピューティングデバイスが、
最適出力の決定、
最適入力ゲインの決定、および
前記コンピューティングデバイスに関連する入力の線形範囲の決定
のうちの１つまたは複数を実行するために、前記較正信号を前記基準で処理するようにさらに構成されている、請求項２に記載のシステム。
【請求項７】
前記システムが較正アダプタをさらに含み、前記較正アダプタが、
（ａ）前記第１の導体と前記サーミスタを切断し、
（ｂ）前記第１の導体と前記抵抗体を動作可能に接続するように構成されており、
前記コンピューティングデバイスが、
前記信号の第３のインスタンスを前記第１の導体に送信し、
前記抵抗体から出力される前記信号の前記第３のインスタンスを含む較正信号を前記抵抗体から受信し、
前記較正信号と前記基準信号との間の不一致を特定するために前記較正信号を前記基準信号で処理し、
前記不一致に基づいて１つまたは複数の後続の温度算出値を較正するようにさらに構成されている、請求項１に記載のシステム。
【請求項８】
前記アダプタが、（ｃ）前記サーミスタをグラウンド接続するようにさらに構成されている、請求項７に記載のシステム。
【請求項９】
前記較正アダプタが３．５ミリメートル（ｍｍ）のプラグコネクタを含む、請求項７に記載のシステム。
【請求項１０】
前記コンピューティングデバイスが３．５ｍｍの入力ジャックをさらに含む、請求項７に記載のシステム。
【請求項１１】
前記コンピューティングデバイスが、
最適出力の決定、
最適入力ゲインの決定、および
入力の線形範囲の決定
のうちの１つまたは複数を実行するために、前記較正信号を前記基準で処理するようにさらに構成されている、請求項７に記載のシステム。
【請求項１２】
前記温度検知プローブが３．５ミリメートル（ｍｍ）のプラグコネクタをさらに含む、請求項１に記載のシステム。
【請求項１３】
前記コンピューティングデバイスが３．５ｍｍの入力ジャックをさらに含む、請求項１に記載のシステム。
【請求項１４】
温度測定システムであって、
第１の導体に動作可能に接続されたサーミスタ、および第２の導体に動作可能に接続された抵抗体を備える温度検知プローブと、
前記温度検知プローブに動作可能に接続されたコンピューティングデバイスのメモリに格納されている温度決定アプリケーションとを含み、前記コンピューティングデバイスのプロセッサによって実行されるとき、前記温度決定アプリケーションは、
信号の第１のインスタンスを前記第１の導体に送信し、
前記サーミスタから出力される前記信号の前記第１のインスタンスを含む温度信号を前記サーミスタから受信し、
前記信号の第２のインスタンスを前記第２の導体に送信し、
前記抵抗体から出力される前記信号の前記第２のインスタンスを含む基準信号を前記抵抗体から受信し、
前記温度信号および前記基準信号を処理して、前記温度信号と前記基準信号の関係を決定し
前記関係に基づいて温度を算出する
ように前記コンピューティングデバイスを構成する、温度測定システム。
【請求項１５】
前記メモリに格納された較正アプリケーションをさらに含み、
前記温度検知プローブが較正器をさらに含み、前記較正器が、
（ａ）前記第１の導体と前記サーミスタを切断し、
（ｂ）前記スイッチが起動すると前記第１の導体と前記抵抗体を動作可能に接続するように構成されており、
前記較正アプリケーションが、前記プロセッサによって実行されるとき、
前記信号の第３のインスタンスを前記第１の導体に送信し、
前記抵抗体から出力される前記信号の前記第３のインスタンスを含む較正信号を前記抵抗体から受信し、
前記較正信号と前記基準信号との間の不一致を特定するために前記較正信号を前記基準信号で処理し、
前記不一致に基づいて１つまたは複数の後続の温度算出値を較正するように、前記コンピューティングデバイスを構成する、請求項１４に記載のシステム。
【請求項１６】
前記較正器が、（ｃ）前記サーミスタをグラウンド接続するようにさらに構成されている、請求項１５に記載のシステム。
【請求項１７】
前記較正器が、較正アダプタおよびスイッチの少なくとも一方を含む、請求項１６に記載のシステム。
【請求項１８】
前記スイッチが、使用者によって手動で起動されるように構成されている、請求項１７に記載のシステム。
【請求項１９】
前記コンピューティングデバイスが、実質的に使用者の介入なしで前記スイッチを起動するようにさらに構成されている、請求項１７に記載のシステム。
【請求項２０】
前記コンピューティングデバイスが、
最適出力の決定、
最適入力ゲインの決定、および
入力の線形範囲の決定
のうちの１つまたは複数を実行するために、前記較正信号を前記基準で処理するようにさらに構成されている、請求項１５に記載のシステム。
【手続補正２】
【補正対象書類名】明細書
【補正対象項目名】００９０
【補正方法】変更
【補正の内容】
【００９０】
上記の主題は例示でしかなく、限定するものとして解釈されるべきではない。図示および説明した例示的な実施形態および応用例に従うことなく、また添付の特許請求の範囲に記載されている本発明の真の趣旨および範囲から逸脱することなく、種々の修正および変更を本明細書に記載の主題に施すことができる。
（態様２１）
コンピューティングデバイスで温度を測定するために、コンピュータで実行される方法であって、前記コンピューティングデバイスが温度検知プローブに動作可能に接続されており、前記温度検知プローブが、第１の導体に動作可能に接続されたサーミスタおよび第２の導体に動作可能に接続された抵抗体を備え、前記方法は、
信号の第１のインスタンスを前記第１の導体に送信するステップと、
前記サーミスタから出力される前記信号の前記第１のインスタンスを含む温度信号を前記サーミスタから受信するステップと、
前記信号の第２のインスタンスを前記第２の導体に送信するステップと、
前記抵抗体から出力される前記信号の前記第２のインスタンスを含む基準信号を前記抵抗体から受信するステップと、
前記温度信号および前記基準信号をプロセッサで処理して、前記温度信号と前記基準信号の関係を決定するステップと、
前記関係に基づいて温度を算出するステップと
を含む、方法。
（態様２２）
前記温度検知プローブが較正器をさらに含み、前記較正器が、
（ａ）前記第１の導体と前記サーミスタを切断し、
（ｂ）前記スイッチが起動すると前記第１の導体と前記抵抗体を動作可能に接続するように構成されており、
前記方法が、
前記信号の第３のインスタンスを前記第１の導体に送信するステップと、
前記抵抗体から出力される前記信号の前記第３のインスタンスを含む較正信号を前記抵抗体から受信するステップと、
前記較正信号と前記基準信号との間の不一致を特定するために前記較正信号を前記基準信号で処理するステップと、
前記不一致に基づいて１つまたは複数の後続の温度算出値を較正するステップと
をさらに含む、態様２１に記載の方法。
（態様２３）
前記較正器が、（ｃ）前記サーミスタをグラウンド接続するようにさらに構成されている、態様２２に記載の方法。
（態様２４）
前記較正器が、較正アダプタおよびスイッチの少なくとも一方を含む、態様２３に記載のシステム。
（態様２５）
前記スイッチが、使用者によって手動で起動されるように構成されている、態様２４に記載のシステム。
（態様２６）
前記コンピューティングデバイスが、実質的に使用者の介入なしで前記スイッチを起動するようにさらに構成されている、態様２４に記載のシステム。
（態様２７）
温度検知プローブおよびコンピューティングデバイスを備える温度測定システムであって、
前記温度検知プローブが、
サーミスタと、
抵抗体と、
電源と、
増幅器と、
前記サーミスタまたは前記抵抗体からの電圧を前記増幅器に接続するように動作可能な信号セレクタと、
前記増幅器から増幅された信号を受信し、基準信号または温度信号を生成するように構成されている電圧制御発振器とを備え、
前記コンピューティングデバイスが、前記温度検知プローブに動作可能に接続され、かつ、
前記信号セレクタを制御するための制御信号を選択的に送信し、
前記電圧制御発振器が前記抵抗体からの出力を受け取るように構成されているときに、前記電圧制御発振器からの出力を含む前記基準信号を前記電圧制御発振器から受信し、
前記電圧制御発振器が前記サーミスタからの出力を受け取るように構成されているときに、前記電圧制御発振器からの出力を含む前記温度信号を前記電圧制御発振器から受信し、
前記基準信号および前記温度信号を処理して、前記温度信号と前記基準信号の関係を決定し、
前記関係に基づいて温度を算出し、
前記温度を表示する
ように構成された、温度測定システム。
（態様２８）
前記コンピューティングデバイスが入力部をさらに含み、さらに前記温度検知プローブが、
前記電圧制御発振器から出力を受け取り、前記出力を前記コンピューティングデバイス用に変換するように動作可能な信号調整器をさらに備える、態様２７に記載のシステム。
（態様２９）
前記温度検知プローブがコネクタを備え、さらに前記コネクタが前記入力部によって受けられる、態様２８に記載のシステム。
（態様３０）
前記信号調整器が、前記入力部からＤＣ電流を引き出して、前記検知プローブが接続されていることを前記コンピューティングデバイスが検出できるようにする、態様２９に記載のシステム。
（態様３１）
前記信号調整器がマイクロホンカプラである、態様２９に記載のシステム。
（態様３２）
前記コネクタが３．５ミリメートル（ｍｍ）のプラグコネクタであり、前記入力部が３．５ｍｍの入力ジャックである、態様２９に記載のシステム。
（態様３３）
前記制御信号が、前記コンピューティングデバイスによって２つのチャネルのうちの第１のチャネルで出力されるトーンであり、さらに前記コンピューティングデバイスが、前記電源を前記検知プローブの少なくとも部分に接続するために、電力信号を前記２つのチャネルのうちの第２のチャネルで出力するように構成されている、態様２７に記載のシステム。
（態様３４）
前記電力信号がトーンであり、前記温度検知プローブが、
前記電力信号に応答して、前記電源を、前記増幅器、前記信号セレクタおよび前記電圧制御発振器のうちの１つまたは複数に接続するスイッチをさらに備える、態様２７に記載のシステム。
（態様３５）
前記電圧制御発振器が、前記増幅器からの電圧に比例する周波数を有するトーンを生成する、態様２７に記載のシステム。
（態様３６）
前記電源が少なくとも１つのバッテリを含む、態様２７に記載のシステム。
（態様３７）
前記電源が電力利用回路である、態様２７に記載のシステム。
（態様３８）
前記電力利用回路が電圧増倍器および整流器を含む、態様３７に記載のシステム。
（態様３９）
前記信号セレクタが多重化装置である、態様２７に記載のシステム。
（態様４０）
前記信号セレクタが複数のスイッチを含む、態様２７に記載のシステム。
（態様４１）
コンピューティングデバイスで温度を測定するために、コンピュータで実行される方法であって、前記コンピューティングデバイスが温度検知プローブに動作可能に接続されており、前記温度検知プローブが、サーミスタ、抵抗体、信号セレクタ、電圧制御発振器、電源、および増幅器を備え、前記方法は、
前記コンピューティングデバイスによって、前記信号セレクタを制御するための制御信号を送信するステップと、
前記電圧制御発振器によって、基準信号または温度信号を生成するために前記増幅器から増幅された信号を受信するステップと、
前記コンピューティングデバイスによって、前記電圧制御発振器が前記抵抗体からの出力を受け取るように構成されているときに前記電圧制御発振器からの出力を含む基準信号を前記電圧制御発振器から受信するステップと、
前記コンピューティングデバイスによって、前記電圧制御発振器が前記サーミスタからの出力を受け取るように構成されているときに前記電圧制御発振器からの出力を含む温度信号を前記電圧制御発振器から受信するステップと、
前記コンピューティングデバイスによって、前記基準信号および前記温度信号を処理して、前記温度信号と前記基準信号の関係を決定するステップと、
前記コンピューティングデバイスによって、前記関係に基づいて温度を算出するステップと、
前記コンピューティングデバイスによって、前記温度を表示するステップと
を含む、方法。
（態様４２）
温度測定システムであって、
前記温度検知プローブに動作可能に結合されたコンピューティングデバイスを含み、前記温度検知プローブが、
サーミスタ、
抵抗体、
プロセッサ、
電圧を少なくとも前記サーミスタおよび前記抵抗体に提供する電源、
前記サーミスタまたは前記抵抗体からの電圧を前記プロセッサに接続するように動作可能な信号セレクタ、および
信号を前記コンピューティングデバイスに出力するように動作可能な信号調整器を備え、
前記プロセッサが、
交互に、前記抵抗体に関連づけられた出力を含む基準信号を読み出し、かつ、前記サーミスタに関連づけられた出力を含む温度信号を読み出し、
前記基準信号と前記温度信号に応じて温度値を計算し、
前記信号調整器を介して前記温度値を前記コンピューティングデバイスに送信するように構成されており、前記コンピューティングデバイスが前記温度値に関連づけられた温度を表示する、温度測定システム。
（態様４３）
前記温度検知プローブが、前記基準信号または前記温度信号の少なくとも一方を前記信号セレクタから受信し、前記プロセッサのために前記基準信号または前記温度信号の前記少なくとも一方を増幅する増幅器をさらに備える、態様４２に記載のシステム。
（態様４４）
前記温度検知プローブが、前記プロセッサが前記基準信号および前記温度信号を読み取ることを可能にするアナログ／デジタルコンバータをさらに備える、態様４２に記載のシステム。
（態様４５）
前記アナログ／デジタルコンバータが前記プロセッサの外部にある、態様４２に記載のシステム。
（態様４６）
前記アナログ／デジタルコンバータが前記プロセッサの内部にある、態様４２に記載のシステム。
（態様４７）
前記プロセッサが、前記信号セレクタを制御して前記基準信号または前記温度信号を選択するようにさらに構成されている、態様４２に記載のシステム。
（態様４８）
前記温度検知プローブがアナログ／デジタルコンバータをさらに備え、前記基準信号および前記温度信号がそれぞれ抵抗体および前記サーミスタからの電圧を反映し、さらに前記プロセッサが前記それぞれの電圧を前記アナログ／デジタルコンバータに応じて読み出す、態様４２に記載のシステム。
（態様４９）
前記温度検知プローブがコネクタを含み、さらに前記コンピューティングデバイスが、前記コネクタを受けるための入力部を含む、態様４２に記載のシステム。
（態様５０）
前記信号調整器が、前記入力部からＤＣ電流を引き出して、前記検知プローブが接続されていることを前記コンピューティングデバイスが検出できるようにする、態様４２に記載のシステム。
（態様５１）
前記コネクタが３．５ミリメートル（ｍｍ）のプラグコネクタであり、前記入力部が３．５ｍｍの入力ジャックである、態様４２に記載のシステム。
（態様５２）
前記温度検知プローブが、前記コンピューティングデバイスからの信号に応答して、前記電源を、増幅器、前記信号セレクタおよび前記プロセッサの１つまたは複数に接続するスイッチをさらに備える、態様４２に記載のシステム。
（態様５３）
前記プロセッサが、前記信号調整器に少なくとも１つの信号を前記コンピューティングデバイスに送信させることによって、前記温度値を前記コンピューティングデバイスに送信するように構成されている、態様４２に記載のシステム。
（態様５４）
前記コンピューティングデバイスが、前記少なくとも１つの信号を前記信号調整器から受信し、かつ、前記少なくとも１つの信号によって表される前記温度を表示するように構成されている、態様５３に記載のシステム。
（態様５５）
前記電源が少なくとも１つのバッテリを含む、態様４２に記載のシステム。
（態様５６）
前記電源が電力利用回路である、態様４２に記載のシステム。
（態様５７）
前記電力利用回路が電圧増倍器および整流器を含む、態様５６に記載のシステム。
（態様５８）
前記信号セレクタが多重化装置である、態様４２に記載のシステム。
（態様５９）
前記信号セレクタが複数のスイッチを含む、態様４２に記載のシステム。
（態様６０）
前記信号調整器がマイクロホンカプラである、態様４２に記載のシステム。
（態様６１）
前記信号セレクタが前記プロセッサの内部にある、態様４２に記載のシステム。
（態様６２）
コンピューティングデバイスで温度を測定するために、コンピュータで実行される方法であって、前記コンピューティングデバイスが温度検知プローブに動作可能に接続されており、前記温度検知プローブが、サーミスタ、抵抗体、信号セレクタ、プロセッサおよび電源を備え、前記方法は、
交互に、前記プロセッサによって、前記抵抗体に関連づけられた出力を含む基準信号を読み出すことと、前記プロセッサによって、前記サーミスタに関連づけられた出力を含む温度信号を読み出すこととを行う、ステップと、
前記プロセッサによって、前記基準信号と前記温度信号に応じて温度値を計算するステップと、
前記コンピューティングデバイスによって、前記プロセッサから、前記温度値を受信するステップと、
前記コンピューティングデバイスによって、前記温度値に関連づけられた温度を表示するステップと
を含む、方法。